(57)【要約】      （修正有）【課題】現像剤収容体内において、トナーが付着し凝集することを抑制し、トナーを十分に活用することが可能な現像剤収容体、現像ユニット、及び画像形成装置を提供する。【解決手段】現像剤を収容する筐体３１と、現像剤を排出する排出口３１ｆと、筐体内部において回転する回転部材３３ａと、回転部材に係合する係合部と係合に伴い揺動する揺動部３４ａとを有する揺動部材とを備えた現像剤収容体、当該現像剤収容体から供給された現像剤により現像剤画像を現像する現像ユニット、及び当該現像ユニットを備えた画像形成装置。【選択図】図２
2014149437.tif 000002
【特許請求の範囲】
【請求項１】
現像剤を収容する筐体と、
前記現像剤を排出する排出口と、
前記筐体内部において回転する回転部材と、    
前記回転部材に係合する係合部と係合に伴い揺動する揺動部とを有する揺動部材とを備えることを特徴とする現像剤収容体。
【請求項２】
前記揺動部は係合にともない変形する変形部を含むことを特徴とする請求項１記載の現像剤収容体。
【請求項３】
前記揺動部材には所定の間隔で孔部が形成されていることを特徴とする請求項１又は請求項２記載の現像剤収容体。
【請求項４】
前記揺動部材には所定の間隔で突起部が形成されていることを特徴とする請求項１乃至請求項３の何れか１項記載の現像剤収容体。
【請求項５】
前記揺動部材はフィルム材から形成されることを特徴とする請求項１乃至請求項４の何れか
１項記載の現像剤収容体。
【請求項６】
請求項１乃至請求項５の何れか１項記載の現像剤収容体と、
前記排出口から排出された前記現像剤により現像剤画像を現像する現像部とを備えることを特徴とする現像ユニット。
【請求項７】
請求項６記載の現像ユニットと、
現像された前記現像剤画像を記録媒体に転写する転写装置と、
前記記録媒体に転写された前記現像剤画像を定着させる定着装置とを備えることを特徴とする画像形成装置。
【発明の詳細な説明】
【技術分野】
【０００１】
本発明は、プリンタ、ＦＡＸ、又は複写機等の電子写真プロセス方式に使用される現像剤を収容する現像剤収容体に関するものであり、さらに、当該現像剤収容体を備えた現像ユニット、及び画像形成装置に関するものである。
【背景技術】
【０００２】
従来の電子写真プロセス方式を採用するプリンタ、ＦＡＸ、又は複写機等の画像形成装置においては、帯電ローラ等の帯電装置により静電潜像担持体たる感光体表面を帯電させ、その感光体表面をＬＥＤ（Light Emitting Diode）ヘッド等の露光手段で露光し静電潜像を形成させる。そして、現像剤としてのトナーを静電潜像に付着させて現像剤画像を得、その現像剤画像を記録媒体に転写し、定着させることで印刷物を得ることができる。
【０００３】
このような感光体表面に形成された静電潜像を現像する現像ユニットにおいては、現像剤としてのトナーを収容する現像剤収容体であるトナーカートリッジが着脱自在に配設されており、当該トナーカートリッジから現像ユニットにトナーが供給される。そのため、トナーカートリッジの下面には、現像剤供給口が形成され、当該現像剤供給口を開閉するためのシャッタ部材が設けられている。当該シャッタ部材には、開口部が形成され、シャッタ部材と篏合された操作レバーを回転させ、現像剤供給口と開口部とを合わせることにより、現像剤供給口を開放することができる。
【０００４】
一般的なトナーカートリッジにおいては、当該トナーカートリッジ内部にトナーを収容するためのトナー収容室や廃棄トナー室を形成するアウターカートリッジの長手方向側壁に軸受け部を有し、トナーを攪拌する攪拌部材をアウターカートリッジの側壁の軸受け部に回転可能に支持するものがある。加えて、アウターカートリッジのトナー収容室には内壁に付着したトナーを掻き落とすための揺動部材を備えるものもあった（例えば、特許文献１参照）。
【先行技術文献】
【特許文献】
【０００５】
【特許文献１】特開２００３−５０５０５号公報
【発明の概要】
【発明が解決しようとする課題】
【０００６】
しかしながら、従来のトナーカートリッジにおいては、輸送時の振動や未使用時における放置姿勢が一定でないために、トナー収容室内のトナーがトナーカートリッジの内壁に付着したまま凝集することや、角のあるトナー収容室では、付着するトナーが凝集し易くなることがあった。これを防止する目的のために揺動部材が設けられてはいるものの、従来の揺動部材はアウターカートリッジの内壁に対して押付ける方向で揺動するため、余計にトナーを圧縮してしまう。その結果、トナー収容室内におけるトナーの付着、凝集を促進することになり、トナーが現像剤供給口から排出されず、利用できなくなり無駄が生じることがあった。
【０００７】
本発明はこのような実情に鑑みてなされたものであり、本発明の課題は、現像剤収容体内において、トナーが付着し凝集することを抑制し、トナーを十分に活用することが可能な現像剤収容体、現像ユニット、及び画像形成装置を提供することである。
【課題を解決するための手段】
【０００８】
上記課題を解決するために、本発明における現像剤収容体は、現像剤を収容する筐体と、前記現像剤を排出する排出口と、前記筐体内部において回転する回転部材と、前記回転部材に係合する係合部と係合に伴い揺動する揺動部とを有する揺動部材とを備えることを特徴としている。
【０００９】
また、本発明における現像ユニットは、現像剤を収容する筐体と、前記現像剤を排出する排出口と、前記筐体内部において回転する回転部材と、前記回転部材に係合する係合部と係合に伴い揺動する揺動部とを有する揺動部材とを備えた現像剤収容体と、排出口から排出された現像剤により現像剤画像を現像する現像部とを備えることを特徴としている。
【００１０】
さらにまた、本発明における画像形成装置は、現像剤を収容する筐体と、前記現像剤を排出する排出口と、前記筐体内部において回転する回転部材と、前記回転部材に係合する係合部と係合に伴い揺動する揺動部とを有する揺動部材とを備えた現像剤収容体と、排出口から排出された現像剤により現像剤画像を現像する現像部とを備えた現像ユニットと、現像された前記現像剤画像を記録媒体に転写する転写装置と、前記記録媒体に転写された前記現像剤画像を定着させる定着装置とを備えることを特徴としている。
【発明の効果】
【００１１】
本発明によれば、現像剤収容体内において、トナーが付着し凝集することを抑制し、トナーを十分に活用することが可能な現像剤収容体、現像ユニット、及び画像形成装置を提供することができる。
【図面の簡単な説明】
【００１２】
【図１】画像形成装置の概略構成を説明する概略断面図である。
【図２】第１の実施形態における現像ユニット及びトナーカートリッジの概略断面図である。
【図３】第１の実施形態におけるトナーカートリッジの分解斜視図である。
【図４】（ａ）は第１の実施形態におけるトナー除去フィルムの概略断面図であり、（ｂ）はトナー除去フィルムと撹拌部材との斜視図である。
【図５】（ａ）は第１の実施形態の変形例におけるトナー除去フィルムの概略断面図であり、（ｂ）はトナー除去フィルムと撹拌部材との斜視図である。
【図６】第１の実施形態におけるトナーカートリッジのレバー開閉時の斜視図であり、（ａ）はトナー供給口が閉まった状態を示しており、（ｂ）はトナー供給口が開いた状態を示している。
【図７】第１の実施形態におけるトナーカートリッジの概略断面図である。
【図８】第１の実施形態におけるトナー除去フィルムと攪拌部材との動作説明図である。
【図９】図７におけるＤ部拡大図である。
【図１０】図７におけるＥ部拡大図である。
【図１１】第１の実施形態の変形例におけるトナーカートリッジの概略断面図である。
【図１２】第２の実施形態におけるトナーカートリッジの概略断面図である。
【図１３】第２の実施形態におけるトナーカートリッジの分解斜視図である。
【図１４】（ａ）は第２の実施形態におけるトナー除去フィルムの概略断面図であり、（ｂ）はトナー除去フィルムと撹拌部材との斜視図である。
【図１５】第２の実施形態におけるトナー除去フィルムと攪拌部材との動作説明図であり、（ａ）はトナー除去フィルと攪拌部材との係合が開始された後の動作を説明する図であり、（ｂ）はトナー除去フィルムと攪拌部材との係合が解除された後の動作を説明する図である。
【発明を実施するための形態】
【００１３】
以下、本発明の実施形態について図面を参照して説明する。なお、本発明は以下の記述に限定されるものではなく、本発明の要旨を逸脱しない範囲において適宜変更可能である。
【００１４】
［第１の実施形態］
第１の実施形態の説明においては、まず、本発明における現像剤収容体を適用した画像形成装置、現像ユニットについて説明し、次いで現像剤収容体としてのトナーカートリッジについて説明する。
【００１５】
図１は、画像形成装置１００の概略構成を説明するための概略断面図である。本実施形態における画像形成装置１００は、ブラック（Ｋ）、イエロー（Ｙ）、マゼンタ（Ｍ）、及びシアン（Ｃ）の４種の現像剤としてのトナーを重ね合わせてカラー画像を形成するカラープリンタである。
【００１６】
画像形成装置１００は、給紙トレイ１０１を始点とし、搬送ローラ１０２、転写装置１０３、定着装置１０４を経て、スタッカ１０５を終点とする略Ｓ字状に形成された媒体ルートに沿って、各トナー色の画像形成に対応したブラック（Ｋ）の現像ユニット１１０ａ，イエロー（Ｙ）の現像ユニット１１０ｂ，マゼンタ（Ｍ）の現像ユニット１１０ｃ，シアンの現像ユニット（Ｃ）１１０ｄが設けられている。これらの現像ユニット１１０ａ，１１０ｂ，１１０ｃ，１１０ｄには、ブラック（Ｋ）のトナーを収容するトナーカートリッジ３０ａ，イエロー（Ｙ）のトナーを収容するトナーカートリッジ３０ｂ，マゼンタのトナーを収容するトナーカートリッジ３０ｃ，シアンのトナーを収容するトナーカートリッジ３０ｄがそれぞれ装着されている。現像ユニット１１０ａ，１１０ｂ，１１０ｃ，１１０ｄは、トナーカートリッジ３０ａ,３０ｂ,３０ｃ，３０ｄから供給されるトナーを用いて各トナー色に対応する現像剤画像たるトナー像を現像する。
【００１７】
給紙トレイ１０１は、内部に記録媒体としての用紙Ｐを積層した状態で収納し、画像形成装置１００下部に着脱自在に装着されている。そして、給紙トレイ１０１上部に設けられた図示せぬ分離ローラは、給紙トレイ１０１に収納された用紙Ｐをその最上部から１枚ずつ取り出して媒体ルートに繰出す。
【００１８】
搬送ローラ１０２は、図示せぬ分離ローラから繰り出された用紙Ｐの斜行を矯正するとともに、用紙Ｐを転写装置１０３に搬送する。
【００１９】
転写装置１０３は、用紙Ｐを静電吸着して搬送する無端のベルト材である転写ベルト１０３２と、図示せぬ駆動源から伝達された駆動力により回転するドライブローラ１０３３と、当該ドライブローラ１０３３と対をなして従動回転し、転写ベルト１０３２を張架するテンションローラ１０３４とを備える。また、転写装置１０３は、後述する現像ユニット１１０ａ，１１０ｂ，１１０ｃ，１１０ｄが備える各感光体に転写ベルト１０３２を介し圧接する転写ローラ１０３１ａ，１０３１ｂ，１０３１ｃ，１０３１ｄを備える。転写ローラ１０３１ａ，１０３１ｂ，１０３１ｃ，１０３１ｄには図示せぬ高圧電源が接続されており、感光体上で現像されたトナー像は、転写ローラ１０３１ａ，１０３１ｂ，１０３１ｃ，１０３１ｄに印加された転写バイアス電圧により用紙Ｐに転写される。
【００２０】
定着装置１０４は、現像ユニット１１０ａ，１１０ｂ，１１０ｃ，１１０ｄ以降の媒体ルート下流側に配設されており、ヒートローラ１０４ａ、バックアップローラ１０４ｂ、及び図示せぬサーミスタ等を備える。ヒートローラ１０４ａは、例えば、アルミニウム等からなる中空円筒状の芯金にシリコーンゴムの耐熱弾性層を被覆し、その上にＰＦＡ（テトラフルオロエチレンーパーフルオロアルキルビニルエーテル共重合体）チューブを被服することによって形成されている。そして、その芯金内には、例えば、ハロゲンランプ等の加熱ヒータが設けられている。バックアップローラ１０４ｂは、例えば、アルミニウム等からなる芯金にシリコーンゴムの耐熱弾性層を被覆し、その上にＰＦＡを被覆した構成であり、ヒートローラとの間に圧接部が形成されるように配設されている。サーミスタは、ヒートローラ１０４ａの表面温度検出手段であり、ヒートローラ１０４ａの近傍に非接触で配設されている。サーミスタが検出したヒートローラ１０４ａの表面温度の検出結果に基づき、上記加熱ヒータを制御することで、ヒートローラ１０４ａの表面温度は所定の温度に維持される。トナー像が転写された用紙Ｐが所定の温度に維持されたヒートローラ１０４ａとバックアップローラ１０４ｂとから形成される圧接部を通過することにより、用紙Ｐ上のトナーに熱及び圧力が付与され、当該トナーは溶融し、トナー像が定着される。
【００２１】
スタッカ１０５は、画像形成装置１００の外筐を利用して形成されており、定着装置１０４を通過し、図示せぬ排出ローラにより排出された用紙Ｐを積載する。
【００２２】
ところで、各現像ユニット１１０ａ，１１０ｂ，１１０ｃ，１１０ｄの上部には、露光装置１１１ａ，１１１ｂ，１１１ｃ，１１１ｄが設けられている。露光装置１１１ａ，１１１ｂ，１１１ｃ，１１１ｄは、例えば、ＬＥＤ素子等の発光素子とレンズアレイとを有するＬＥＤヘッドであり、画像データに基づき当該ＬＥＤ素子から出力される照射光が現像ユニット１１０ａ，１１０ｂ，１１０ｃ，１１０ｄが備える各感光体表面に結像する位置となるように配設されている。これらの露光装置１１１ａ，１１１ｂ，１１１ｃ，１１１ｄは、現像ユニット１１０ａ，１１０ｂ，１１０ｃ，１１０ｄやトナーカートリッジ３０ａ,３０ｂ,３０ｃ，３０ｄを脱着する際に開閉する上部カバー部材に保持されている。
【００２３】
次に、現像ユニット１１０ａ，１１０ｂ，１１０ｃ，１１０ｄ及びこれらの現像ユニットに装着されたトナーカートリッジ３０ａ,３０ｂ,３０ｃ，３０ｄについて図２の概略断面図を用いて説明する。なお、現像ユニット１１０ａ，１１０ｂ，１１０ｃ，１１０ｄはトナーカートリッジ３０ａ,３０ｂ,３０ｃ，３０ｄのそれぞれに収容されるトナーのみが異なり、その他の構成は全て同一である。したがって、以下の説明においては、現像ユニット１１０ａ及び当該現像ユニット１１０ａに装着されたトナーカートリッジ３０ａについて説明する。
【００２４】
本実施形態における現像ユニット１１０ａは、トナーを内部に収容するトナーカートリッジ３０ａを着脱可能に装着することが可能となるように構成されており、図２で示す概略断面図は、現像ユニット１１０ａに対してトナーカートリッジ３０ａを装着した状態を示す図である。
【００２５】
このような現像ユニット１１０ａは、感光体１１と、現像ローラ１２と、供給ローラ１３と、現像ブレード１５と、クリーニング装置１８と、帯電装置１９とを備える。
【００２６】
感光体１１は、導電性支持体と光導電層とによって構成され、例えば、導電性支持体としてのアルミニウム等の金属シャフトに光導電層としての電荷発生層、及び電荷輸送層が順次積層されて構成された有機感光体である。
【００２７】
現像ローラ１２は、例えば、ステンレス等の金属シャフトの外周にカーボンブラックを分散させたウレターンゴムを配設し、その表面はイソシアネート処理が施されている。現像ローラ１２は、感光体１１の表面に圧接するように配設され、露光装置１１１ａにより照射された照射光に基づき形成された静電潜像にトナーを供給し、トナー像を現像する。
【００２８】
供給ローラ１３は、ステンレス等の金属シャフトの外周に半導電性発泡シリコーンスポンジ層が配設されている。供給ローラ１３は、現像ローラ１２に対して所定の圧力をもって当接しており、トナーカートリッジ３０ａから供給されたトナーを現像ローラ１２に供給する。供給ローラ１３の上方には、トナーカートリッジ３０ａから供給されたトナーを一時的に貯蔵するトナー貯蔵室２２が形成されている。
【００２９】
現像ブレード１５は、例えば、ステンレス等の金属板から構成された板状部材であり、支持部材１６及び支持部材１７によって重なりあうように挟み込まれて図示せぬネジによって共止めされている。現像ブレード１５は、その一端が現像ローラ１２の表面の所定位置に当接する位置に配設されており、現像ローラ１２上のトナー層厚を均一に規制する。
【００３０】
クリーニング装置１８は、ウレターンゴム等のゴムを保持するブラケット２４にホットメルト等の接着方法で強力に接着したものであり、当該ブラケット２４はベースフレーム部材２０に支持されている。クリーニング装置１８は感光体１１と当接し、転写後に感光体１１に残留したトナーを掻き落とす。クリーニング装置１８の下方隙間には、スパイラル或いはコイルスプリングからなる廃棄トナー搬送部材２３が配設されている。
【００３１】
帯電装置１９は、例えば、金属シャフトと半導電性エピクロロヒドリンゴムとによって構成されたローラ部材である。帯電装置１９は、感光体１１に対して所定の圧力をもって当接しており、図示せぬ高圧電源からの印加電圧に基づき、感光体１１の表面を一様均一に帯電させる。
【００３２】
感光体１１、現像ローラ１２、供給ローラ１３、及び帯電装置１９は、それぞれ図示せぬ駆動源から伝達された駆動力により、図２中矢印方向に回転駆動できるように構成されている。感光体１１と帯電装置１９とは感光体１１の軸方向の左右に配設された図示せぬサイドフレームに支持されている。また、現像ローラ１２、供給ローラ１３、及び現像ブレード１５においても感光体１１の長手方向左右に配設された図示せぬサイドフレームに支持されている。
【００３３】
これらの図示せぬサイドフレームに支持された現像ユニット１１０ａは、ベースフレーム部材２０に保持され、カバーフレーム部材２１で覆われている。そして、カバーフレーム部材２１の上方にはトナーカートリッジ３０ａが配設されており、排出口としてのトナー供給口３１ｆを介して供給されたトナーは、カバーフレーム部材２１に形成されたトナー補給口２１ａを通してトナー貯蔵室２２に貯蔵される。
【００３４】
トナーカートリッジ３０ａのトナー収容室３１ｃには、本実施形態における揺動部材としてのトナー除去フィルム３４ａが設けられている。本実施形態におけるトナー除去フィルム３４ａはＰＥＴ樹脂シートから構成されている。トナー除去フィルム３４ａは、一端側がトナー収容室３１ｃの天面に固定され、所定の角度に折り曲げられた折れ曲がり部を有し、断面方向から見て略鉤状の揺動部材である。そして、トナー除去フィルム３４ａは、後述するインナーカートリッジ３２内に設けられた回転部材たる攪拌部材３３ａと係合することにより変形し、この係合が解除されたときに元の形状に戻ろうとする復元力が働くことで揺動する揺動部材である。
【００３５】
図３は、図２で示したトナーカートリッジ３０ａの分解斜視図である。トナーカートリッジ３０ａは筐体としてのアウターカートリッジ３１と、シャッタ部材であるインナーカートリッジ３２と、キャップ３６と、サイドカバープレート３８とを備える。なお、トナーカートリッジ３０ａ内部は、図２にも示したように、現像ユニット１１０に未使用のトナーを収容するためのトナー収容室３１ｃと現像ユニット１１０から排出される廃棄トナーを収容する廃棄トナー収容室３１ｄとに分離されている。
【００３６】
アウターカートリッジ３１には、トナー供給口３１ｆとインナーカートリッジ３２を挿入するための挿入口３１ｂが設けられている。また、前述したように、アウターカートリッジ３１のトナー収容室３１ｃの天面には、揺動部材たるトナー除去フィルム３４ａが配設されている。トナー除去フィルム３４ａの構成については後ほど説明する。
【００３７】
インナーカートリッジ３２には操作レバー３５が篏合されており、操作レバー３５の中央にはトナー充填孔３２ａが設けられている。トナー充填孔３２ａは、トナー収容室３１ｃへのトナーの充填後、充填されたトナーがこぼれないようにキャップ３６により封がされる。操作レバー３５は、開口部３２ｃに対するシャッタ部３２ｂの開閉動作を制御するものであり、現像ユニット１１０ａのトナー貯蔵室２２へのトナー供給を操作可能としている。なお、アウターカートリッジ３１には、操作レバー３５の回転範囲を規制する規制部３１ｅが設けられている。
【００３８】
サイドカバープレート３８にはトナー漏れ防止のためのシールスポンジ３７が内側に設けられており、アウターカートリッジ３１からトナーがこぼれぬよう塞ぐように配設されている。そして、サイドカバープレート３８にはインナーカートリッジ３２の中心軸と同じ位置に回転駆動を行うためのギア３９が設けられ、ギア３９中心を軸受けとし、インナーカートリッジ３２内部には、回転可能な回転部材たる撹拌部材３３ａが配設されている。撹拌部材３３ａは、樹脂（ＰＳ又はＡＢＳ）から構成された板状の形状とされる。なお、撹拌部材３３ａとしては、ＳＵＳ等の金属からなるクランク部材からなるものでもかまわない。
【００３９】
図４（ａ）は、本実施形態におけるトナー除去フィルム３４ａの概略断面図である。トナー除去フィルム３４ａは、第１の折れ曲がり部たる折れ曲がり部３４ａ２０から延在する係合部３４ａ７と、揺動部５０ａたる摺動部３４ａ１，折れ曲がり部３４ａ２０,第２の折れ曲がり部たる折れ曲げ部３４ａ２１，弾性変形部３４ａ３と、固定端５０ｂたる接着部３４ａ４とを備える。本実施形態におけるトナー除去フィルム３４ａは、係合部３４ａ７において攪拌部材３３ａと係合することにより、摺動部３４ａ１，折れ曲がり部３４ａ２０,折れ曲がり部３４ａ２１，弾性変形部３４ａ３からなる揺動部５０ａが変形し（変形部）、この係合が解除されたときに変形部が元の形状に戻ろうとする復元力が働くことで揺動する揺動部材として構成されている。なお、トナー除去フィルム３４ａの係合部３４ａ７は、インナーカートリッジ３２の剛性を保つために形成された、図３に示すフレーム３２ｄ，３２ｅ，３２ｆを避けるように構成されている。
【００４０】
図４（ｂ）は、トナー除去フィルム３４ａと撹拌部材３３ａとの斜視図である。トナー除去フィルム３４ａの折れ曲がり部３４ａ２１において所定の角度で折れ曲がった面は摺動部３４ａ１として構成されており、アウターカートリッジ３１のトナー収容室３１ｃと廃棄トナー収容室３１ｄとを分離している分離壁３１ａに沿うように配設されている。そして、垂れ下がったトナー除去フィルム３４ａの先端は撹拌部材３３ａと係合可能となるように折れ曲がり部３４ａ２０から延在する係合部３４ａ７として構成されている。摺動部３４ａ１には、所定の間隔で均等に設けられたメッシュ状の孔３４ａ５が形成されており、アウターカートリッジ３１のトナー収容室３１ｃ天面に接する弾性変形部３４ａ３にも所定の間隔で均等に設けられた孔３４ａ６が形成されている。
【００４１】
撹拌部材３３ａはインナーカートリッジ３２内部を撹拌可能とする幅を有するように形成されており、トナー除去フィルム３４ａの係合部３４ａ７と係合する個所は係合可能となるように回転軸近傍まで削られ被係合部３３ａ２（３３ａ２１，３３ａ２２，３３ａ２３，３３ａ２４）を形成している。なお、撹拌部３３ａ１（３３ａ１１，３３ａ１２，３３ａ１３，３３ａ１４，３３ａ１５）は回転した際、負荷が軽減されるように櫛形状に形成されている。
【００４２】
図５（ａ）は、他の形態を有する揺動部材としてのトナー除去フィルム３４ｂの概略断面図である。トナー除去フィルム３４ｂは、第１の折れ曲がり部たる折れ曲がり部３４ｂ２０から延在する係合部３４ｂ７と、揺動部６０ａたる摺動部３４ｂ１，折れ曲がり部３４ｂ２０，第２の折れ曲がり部たる折れ曲がり部３４ｂ２１，弾性変形部３４ｂ３と、固定端６０ｂたる接着部３４ｂ４とを備える。他の形態におけるトナー除去フィルム３４ｂは、係合部３４ｂ７において攪拌部材３３ｂと係合することにより、摺動部３４ｂ１，折れ曲がり部３４ｂ２０，折れ曲がり部３４ｂ２１，弾性変形部３４ｂ３からなる揺動部６０ａが変形し（変形部）、この係合が解除されたときに変形部が元の形状に戻ろうとする復元力が働くことで揺動する揺動部材として構成されている。なお、トナー除去フィルム３４ｂの係合部３４ｂ７は、インナーカートリッジ３２の剛性を保つために形成された、図３に示すフレーム３２ｄ，３２ｅ，３２ｆを避けるように構成されている。
【００４３】
図５（ｂ）は、トナー除去フィルム３４ｂと撹拌部材３３ｂとの斜視図である。トナー除去フィルム３４ｂの折れ曲がり部３４ｂ２１において所定の角度で折れ曲がった面は摺動部３４ｂ１として構成されており、アウターカートリッジ３１のトナー収容室３１ｃと廃棄トナー収容室３１ｄとを分離している分離壁３１ａに沿うように配設されている。そして、垂れ下がったトナー除去フィルム３４ｂの先端は撹拌部材３３ｂと係合可能となるように折れ曲がり部３４ａ２０から延在する係合部３４ｂ７として構成されている。摺動部３４ｂ１には、切り込みが入れられ、隙間を埋める方向に折り曲げられた突起部としての爪３４ｂ５が所定の間隔で形成されており、アウターカートリッジ３１のトナー収容室３１ｃ天面に接する弾性変形部３４ｂ３には所定の間隔で均等に設けられた孔３４ｂ６が形成されている。
【００４４】
また、撹拌部材３３ｂはインナーカートリッジ３２内部を撹拌可能とする幅を有するように形成されており、トナー除去フィルム３４ｂの係合部３４ｂ７と係合する個所は係合可能となるように回転軸近傍まで削られ被係合部３３ｂ２（３３ｂ２１，３３ｂ２２，３３ｂ２３，３３ｂ２４）を形成している。なお、撹拌部３３ｂ１（３３ｂ１１，３３ｂ１２，３３ｂ１３，３３ｂ１４，３３ｂ１５）は回転した際、負荷が軽減されるように櫛形状に形成されている。
【００４５】
なお、本実施形態及び他の形態においては、摺動部、折れ曲がり部、及び弾性変形部からなる揺動部の全てが変形部に該当する例について述べたが、これに限定されず、少なくとも弾性変形部のみが変形部に該当するもの、折れ曲がり部のみが変形部に該当するもの、摺動部のみが変形部に該当するもの、各部の一部のみが変形部に該当するもの、摺動部、折れ曲がり部、又は弾性変形部のうち複数の部が変形部に該当するものであってもかまわない。
【００４６】
次に、上記構成を有するトナーカートリッジ３０ａを有する現像ユニット１１０ａを備えた画像形成装置１００の動作について図１、図２を用いて説明する。なお、他のトナーカートリッジ３０ｂ，３０ｃ，３０ｄ及びこれらのトナーカートリッジを有する現像ユニット１１０ｂ，１１０ｃ，１１０ｄにおける動作も、以下で説明する動作と同一であるため、ここでは、トナーカートリッジ３０ａを有する現像ユニット１１０ａのみについて説明する。
【００４７】
まず、図１に示す画像形成装置１００に対して画像データが入力されると、画像形成装置１００は画像形成プロセスを開始する。画像形成プロセスの開始にあたって、給紙トレイ１０１に収納された用紙Ｐは、図示せぬ分離ローラの回転により、媒体ルートに１枚ずつ繰り出される。その後、搬送ローラ１０２により斜行が矯正されながら、用紙Ｐは、媒体ルートに沿って転写装置１０３に搬送される。転写装置１０３に用紙Ｐが搬送されるまでの所定のタイミングにおいて、現像ユニット１１０ａでは下記に示す画像形成プロセスが開始される。
【００４８】
画像形成装置１００に対して画像データが入力されると、図２に示す現像ユニット１１０ａ内の感光体１１は、図示せぬ駆動源から伝達された駆動力により、図２中矢印方向に一定周速度で回転を開始する。そして、感光体１１の表面に接触して設けられた帯電装置１９は、図示せぬ高圧電源からの帯電バイアス電圧に基づき、感光体１１の表面を一様均一に帯電させる。次に、感光体１１に対向して設けられた露光装置１１１ａによって、画像データに対応した照射光が感光体１１の一様均一に帯電された表面に照射され、光照射部分の電位が光減衰して静電潜像が形成される。
【００４９】
現像ローラ１２は、感光体１１に密着して配設されており、図示せぬ高圧電源から現像バイアス電圧が印加されている。現像ローラ１２は、供給バイアス電圧が印加された供給ローラ１３により搬送されたトナーを吸着し、回転搬送する。この回転搬送工程において、現像ローラ１２に圧接して配設された現像ブレード１５は、現像ローラ１２に吸着したトナーを均一な厚さにならしたトナー層を形成する。
【００５０】
そして、現像ローラ１２は、感光体１１上に形成された静電潜像を、担持するトナーによって反転現像する。感光体１１の導電性支持体と現像ローラ１２との間には高圧電源によってバイアス電圧が印加されているため、現像ローラ１２と感光体１１との間には、感光体１１に形成された静電潜像に伴う電気力線が発生する。このため、現像ローラ１２上の帯電したトナーは、静電気力により感光体１１上の静電部分に付着し、この部分が現像されてトナー像が形成される。
【００５１】
感光体１１上に形成されたトナー像は、用紙Ｐが転写装置１０３に搬送されたタイミングに合わせて、図示せぬ高圧電源から転写バイアス電圧が印加された転写ローラ１０３１により用紙Ｐに転写される。現像ユニット１１０ｂ，１１０ｃ，１１０ｄにおいても同様な動作が行われ、現像ユニット１１０ｂ，１１０ｃ，１１０ｄの各感光体で現像されたトナー像は順次、用紙Ｐに転写される。
【００５２】
その後、用紙Ｐはヒートローラ１０４ａ及びバックアップローラ１０４ｂを備えた定着装置１０４へと搬送される。トナー像が転写された用紙Ｐは、図示せぬ温度制御手段によって制御され、所定の表面温度に保たれたヒートローラ１０４ａとバックアップローラ１０４ｂとにより形成される圧接部に搬送される。そして、ヒートローラ１０４ａから付与される熱によりトナーが溶融され、さらに圧接部で加圧されることにより、トナー像が用紙Ｐ上に定着する。
【００５３】
トナー像が定着した用紙Ｐはスタッカ１０５に排出され、一連の画像形成プロセスは完了する。
【００５４】
なお、トナー像が転写された後の感光体１１の表面には、若干のトナーが残留する場合がある。この残留したトナーは、クリーニング装置１８によって除去される。クリーニング装置１８が感光体１１の表面に当接した状態で、感光体１１が回転軸中心に回転することにより転写されずに残留したトナーは除去される。除去されたトナーは、廃棄トナー搬送部材２３によりトナーカートリッジ３０ａの廃棄トナー収容室３１ｄに搬送され回収される。なお、クリーニングされた感光体１１は次の画像形成プロセスにおいて繰り返し使用される。
【００５５】
ところで、現像ユニット１１０ａのトナー貯蔵室２２へのトナー供給は、トナーカートリッジ３０ａに設けられたインナーカートリッジ３２のシャッタ部３２ｂを回転し開口部３２ｃをアウターカートリッジ３１のトナー供給口３１ｆに合わせることでトナー供給口３１ｆを開放し、現像ユニット１１０ａのカバーフレーム２１に設けられたトナー補給口２１ａを介して行われる。ここで、図６は、第１の実施形態におけるトナーカートリッジ３０ａの操作レバー３５開閉時の斜視図であり、（ａ）はトナー供給口３１ｆが閉まった状態を示しており、（ｂ）は操作レバーの図中矢印Ａ方向への回転により、トナー供給口３１ｆが開いた状態を示している。実際には、現像ユニット１１０ａにトナーカートリッジ３０ａが装着されないと、操作レバー３５は回転しないように構成されている。
【００５６】
現像ユニット１１０ａにトナーカートリッジ３０ａが装着されると、現像ユニット１１０ａのカバーフレーム２１に設けられた図示せぬギアが、トナーカートリッジ３０ａに設けられたギア３９と噛合う。これにより、現像ユニット１１０ａが駆動されると、トナーカートリッジ３０ａのギア３９が駆動を開始し、トナーカートリッジ３０ａ内の攪拌部材３３ａが回転を開始し、トナーの攪拌が可能となる。
【００５７】
トナーカートリッジ３０ａ内の攪拌部材３３ａは、図７中矢印Ｂの方向（本図においては反時計回り方向）に回転を始める。図７中Ｃ部分を拡大した図８に示す動作説明図のように、攪拌部材３３ａは、０°の位置から９０°の位置間で回転すると、幅が削られ狭くなっている被係合部３３ａ２がトナー除去フィルム３４ａの係合部３４ａ７と係合を開始する。更に回転が進むと、トナー除去フィルム３４ａの係合部３４ａ７と攪拌部材３３ａの被係合部３３ａ２とが帯同して下方に移動することで、トナー除去フィルム３４ａの垂れ下がっている摺動部３４ａ１はトナー収容室３１ｃと廃棄トナー収容室３１ｄとを分離している分離壁３１ａに沿うように移動する。
【００５８】
さらに、攪拌部材３３ａが回転し、約１７０°となると、トナー除去フィルム３４ａの係合部３４ａ７と攪拌部材３３ａの被係合部３３ａ２との係合が解かれ、トナー除去フィルム３４ａはアウターカートリッジ３１の天面に接着された接着部３４ａ４から延在する弾性変形部３４ａ３の弾性反力により上方に移動し元の位置に戻ることになる。このときの図７におけるＤ部分を拡大したのが図９である。
【００５９】
アウターカートリッジ３１の内壁とトナー除去フィルム３４ａの弾性変形部３４ａ３，折れ曲がり部３４ａ２１，摺動部３４ａ１（揺動部５０ａ）との隙間に入り込んだ、或いは付着・凝集したトナーは、トナー除去フィルム３４ａの弾性変形部３４ａ３の反力によって崩され、トナー除去フィルム３４ａの摺動部３４ａ１に設けられた孔３４ａ５からトナー収容室３１ｃ内に落ちることになる。このときの図７におけるＥ部分を拡大したのが、図１０である。トナー除去フィルム３４ａがアウターカートリッジ３１の分離壁３１ａに沿って上下に移動することにより、アウターカートリッジ３１内の側壁に付着・凝集したトナーは、トナー除去フィルム３４ａの摺動部３４ａ１に所定の間隔で均等に設けられたメッシュ状の孔３４ａ５の移動方向とは反する面がエッジとなり、掻き落とされることになる。すなわち、トナー除去フィルム３４ａが下方に移動する際には、トナー除去フィルム３４ａに設けられた孔３４ａ５の上方のエッジ３４ａ５ａが付着・凝集したトナーを掻き落とし、トナー除去フィルム３４ａが上方に移動する際には、トナー除去フィルム３４ａに設けられた孔３４ａ５の下方のエッジ３４ａ５ｂが付着・凝集したトナーを掻き落とす。
【００６０】
なお、ここでの説明においては、トナー除去フィルム３４ａと攪拌部材３３ａとを配設した際に、攪拌部材３３ａの被係合部３３ａ２の中心からの距離が５．５ｍｍ、トナー除去フィルム３４ａの係合部３４ａ７の長さが４ｍｍ、トナー除去フィルム３４ａの摺動部３４ａ１が約５ｍｍ移動する場合の攪拌部材３３ａの回転動作角度の例について説明したが、これらの配設位置、攪拌部材３３ａの被係合部３３ａ２の中心からの距離、及びトナー除去フィルム３４ａの係合部３４ａ７の長さによって攪拌部材３３ａの動作回転角度は変更されるが、トナー除去フィルム３４ａの摺動部３４ａ１の移動距離は５ｍｍ以上であることが好ましい。
【００６１】
ところで、図５で示した他の形態の例で示したような、アウターカートリッジ３１の分離壁３１ａに沿うようにように配設された摺動部３４ｂ１に、切り込みが入れられ、隙間を埋める方向に折り曲げられた突起部としての爪３４ｂ５が所定の間隔で形成されている場合においては、攪拌部材３３ｂは図１１中矢印Ｂの方向（本図においては反時計回り方向）に回転することで、幅が削られ狭くなっている被係合部３３ｂ２がトナー除去フィルム３４ｂの係合部３４ｂ７と係合し、係合が終了するまでトナー除去フィルム３４ｂを下方に下げ、係合が解除されるとトナー除去フィルム３４ｂは上方に移動し元の位置に戻る。このとき、トナー除去フィルム３４ｂに設けられた爪３４ｂ５の先端がエッジとなりアウターカートリッジ３１の分離壁３１ａと接触し、トナーを掻き落とす。
【００６２】
前述したように、本実施形態におけるトナー除去フィルムの摺動部をアウターカートリッジの分離壁に沿って上下に移動させる方法は、揺動部材を反らせた反力でアウターカートリッジの分離壁を叩きつけることがなく、隙間にあるトナーを内壁に押付けることがなくなる。なお、ここでは、トナーカートリッジとしての現像剤収容器であるアウターカートリッジにおいて、トナー収容室と廃棄トナー収容室とを有するもので説明したが、現像収容器としてトナー収容器のみを備える場合においても本発明は適用可能である。
【００６３】
以上のように、第１の実施形態によれば、トナーカートリッジの輸送時や未使用時における放置姿勢が一定でない場合においても、揺動部材を設けたのみの場合に比べ、トナーをトナーカートリッジ内壁に圧縮して押付けることが無くなり、トナーの付着・凝集を抑制することができるため、トナーを十分に活用することが可能となる。
【００６４】
［第２の実施形態］
図１２は、本実施形態におけるトナーカートリッジ３０ａ'の概略断面図である。本実施形態においては、トナーカートリッジ３０ａ'を除いた他の構成については第１の実施形態と同様であるため、ここでの説明は省略し異なる箇所について説明する。
【００６５】
図１２に示すように、トナーカートリッジ３０ａ'内部には、現像ユニット１１０ａに未使用のトナーを供給するためのトナー収容室４０ｃのみが設けられている。現像ユニット１１０ａから排出される廃棄トナーは廃棄トナー回収路から画像形成装置内に設けられた図示せぬ廃棄トナー収容室に貯蔵される。
【００６６】
トナーカートリッジ３０'のトナー収容室４０ｃには、本実施形態における揺動部材としてのトナー除去フィルム４３が設けられている。本実施形態におけるトナー除去フィルム４３はＰＥＴ樹脂から構成されている。トナー除去フィルム４３は、トナー収容室４０ｃの上側に天井と隙間を空けて挿通されたシャフト４４を支点としたシーソ運動を可能とするシャフト支点部４３ａ５を有し、断面方向から見て略コの字形状の一端側が延在して形成された揺動部材である。本実施形態におけるトナー除去フィルム４３も、第１の実施形態におけるトナー除去フィルム３４ａと同様に、回転部材たる攪拌部材４２と係合することにより変形し、この係合が解除されたときに元の形状に戻ろうとする復元力が働くことで揺動する揺動部材である。
【００６７】
図１３は、図１２で示したトナーカートリッジ３０ａ'の分解斜視図である。本実施形態におけるナーカートリッジ３０ａ'は、現像剤収容器であるアウターカートリッジ４０と、シャッタ部材であるインナーカートリッジ４１と、サイドカバープレート４５と、キャップ４６とを備える。
【００６８】
アウターカートリッジ４０には、操作レバー４１ａが一体となったインナーカートリッジ４１を挿入するための挿入口４０ａが設けられている。また、アウターカートリッジ４０のトナー収容室４０ｃの上側に天井と隙間を空けてシャフト４４が挿通されており、シャフト４４を支点とするように形成された揺動部材たるトナー除去フィルム４３が配設されている。トナー除去フィルム４３の構成については後ほど説明する。
【００６９】
サイドカバープレート４５にはトナー充填孔４５ａが設けられている。トナー充填孔４５ａは、トナー収容室４０ｃへのトナーの充填後、充填されたトナーがこぼれないようにキャップ４６により封がされる。
【００７０】
インナーカートリッジ４１の操作レバー４１ａにはインナーカートリッジ４１の中心軸と同じ位置に回転駆動を行うための図示せぬギアが設けられ、ギア中心を軸受けとし、インナーカートリッジ４１内部には、回転可能な回転部材たる攪拌部材４２が配設されている。撹拌部材４２は、樹脂（ＰＳ又はＡＢＳ）から構成された板状の形状とされる。なお、撹拌部材４２としては、ＳＵＳ等の金属からなるクランク部材からなるものでもかまわない。
【００７１】
撹拌部材４２はインナーカートリッジ４１内部を撹拌可能とする幅を有するように形成されており、後述するトナー除去フィルム４３の係合部４３ａ７と係合する個所は係合可能となるように削られ被係合部４２ａ２（４２ａ２１，４２ａ２２，４２ａ２３，４２ａ２４，４２ａ２５）を形成している。なお、撹拌部４２ａ１（４２ａ１１，４２ａ１２，４２ａ１３，４２ａ１４，４２ａ１５）は回転した際、負荷が軽減されるように櫛形状に形成されている。
【００７２】
図１４（ａ）は本実施形態におけるトナー除去フィルムの概略断面図であり、（ｂ）はトナー除去フィルムと撹拌部材との斜視図である。トナー除去フィルム４３は、係合部４３ａ７と、揺動部７０ａたる摺動部４３ａ１１及び４３ａ１２，第１の折れ曲がり部たる折れ曲がり部４３ａ２０，第２の折れ曲がり部たる折れ曲がり部４３ａ２１、４３ａ２２及び４３ａ２３，弾性変形部４３ａ３１及び４３ａ３２，接続部４３ａ４，シャフト支点部４３ａ５，突起部としての爪４３ａ６とを備える。本実施形態におけるトナー除去フィルム４３は、係合部４３ａ７において攪拌部材４２と係合することにより、摺動部４３ａ１１及び４３ａ１２，折れ曲がり部４３ａ２０，折れ曲がり部４３ａ２１、４３ａ２２及び４３ａ２３，弾性変形部４３ａ３１及び４３ａ３２，接続部４３ａ４，シャフト支点部４３ａ５，爪４３ａ６からなる揺動部７０ａが変形し（変形部）、この係合が解除されたときに変形部が元の形状に戻ろうとする復元力が働くことで揺動する揺動部材として構成されている。なお、接続部４３ａ４を介し折れ曲がり部４３ａ２０から延在する係合部４３ａ７は、インナーカートリッジ３２の剛性を保つために形成された、図１３に示すフレーム４１ｃ，４１ｄ，４１ｅ，４１ｆを避けるように構成されている。
【００７３】
摺動部４３ａ１１及び４３ａ１２はそれぞれ、アウターカートリッジ４０の内壁に沿うように配設されており、所定の間隔で均等に設けられたメッシュ状の孔４３ｂ１，４３ｅ１を有する。弾性変形部４３ａ３１には、アウターカートリッジ４０の天面とトナー除去フィルム４３との間に入り込んだトナーを掻き落とすためのメッシュ状の孔４３ｃ１が所定の間隔で均等に設けられている。また、弾性変形部４３ａ３２にも、アウターカートリッジ４０の天面とトナー除去フィルム４３との間に入り込んだトナーを掻き落とすためのメッシュ状の孔４３ｄ１が所定の間隔で均等に設けられており、さらに、バネ作用のある爪４３ａ６がアウターカートリッジ４０の天面と接触するように配設されている。なお、シャフト支点部４３ａ５は、シーソのように揺動部７０ｂが揺動できればよく、シャフト支点部４３ａ５をピン等で天井との間に空間を設けて固定する方法でもかまわない。
【００７４】
なお、本実施形態においては、摺動部、折れ曲がり部、弾性変形部、接続部、シャフト支点部、爪からなる揺動部の全てが変形部に該当する例について述べたが、これに限定されず、各部や、各部の一部、各部の組み合わせが変形部に該当するものであってもかまわない。
【００７５】
次に、上記構成を有するトナーカートリッジ４３を有する現像ユニット１１０を備えた画像形成装置の動作について説明する。なお、画像形成プロセスについては第１の実施形態において図１及び図２を用いて説明した動作と同様であるため、ここでの説明は省略する。
【００７６】
トナーカートリッジ３０ａ'内の攪拌部材４２は、図１５中矢印Ｆの方向（本図においては反時計回り方向）に回転を始める。図１５（ａ）に示す動作説明図のように、攪拌部材４２は、０°の位置から９０°の位置間で回転すると、図１３でも示した攪拌部材４２の被係合部４２ａ２はトナー除去フィルム４３の係合部４３ａ７と係合を開始する。更に回転が進むと、トナー除去フィルム４３の係合部４３ａ７と攪拌部材４２の被係合部４２ａ２とが帯同して下方に移動することで、トナー除去フィルム４３の係合部４３ａ７は図１５（ａ）中矢印ｇ４方向に、摺動部４３ａ１１は矢印ｇ１のように下方に、摺動部４３ａ１２は矢印ｇ２方向のように上方に、弾性変形部４３ａ３２に設けられた爪４３ａ６は矢印ｇ３方向のように反時計回り方向に移動する。この際、トナー除去フィルム４３の摺動部４３ａ１１及び摺動部４３ａ１２はアウターカートリッジ４０のトナー収容室４０ｃの側壁に沿うように移動する。
【００７７】
さらに、図１５（ｂ）に示す動作説明図のように、攪拌部材４２が回転し、約１１０°となると、攪拌部材４２の被係合部４２ａ２とトナー除去フィルム４３の係合部４３ａ７との係合が解かれ、弾性変形部４３ａ３２に設けられた爪４３ａ６がバネとなり、アウターカートリッジ４０の天面方向に押された弾性変形部４３ａ３２に設けられた爪４３ａ６の弾性反力により、図１５（ｂ）中矢印ｈ３方向のように時計回り方向に移動することで、トナー除去フィルム４３の係合部４３ａ７は矢印ｈ４方向、摺動部４３ａ１１は矢印ｈ１方向のように上方へ、摺動部４３ａ１２は矢印ｈ２方向のように下方に移動し、元の位置に戻る。
【００７８】
トナー除去フィルム４３がアウターカートリッジ４０の側壁に沿って上下に移動することにより、アウターカートリッジ４０内の側壁に付着・凝集したトナーは、トナー除去フィルム４３に設けられたメッシュ状の孔４３ｂ１，４３ｅ１の移動方向とは反する面がエッジとなり、掻き落とされる。
【００７９】
なお、ここでの説明においては、トナー除去フィルム４３と攪拌部材４２とを配設した際に、攪拌部材４２の被係合部４２ａ２の中心からの距離が１５ｍｍ、トナー除去フィルム４３の係合部４３ａ７の長さが４ｍｍ、トナー除去フィルム４３の摺動部４３ａ１１及び４３ａ１２が約５ｍｍ移動する場合の攪拌部材４２の回転動作角度の例について説明したが、これらの配設位置、攪拌部材４２の被係合部４２ａ２の中心からの距離、及びトナー除去フィルム４３の係合部４３ａ７の長さによって攪拌部材４２の動作回転角度は変更されるが、トナー除去フィルム４３の摺動部４３ａ１１及び４３ａ１２の移動距離は５ｍｍ以上であることが好ましい。
【００８０】
前述したように、本実施形態におけるトナー除去フィルムの摺動部をアウターカートリッジの分離壁に沿って上下に移動させる方法は、揺動部材を反らせた反力でアウターカートリッジの分離壁を叩きつけることがなく、隙間にあるトナーを内壁に押付けることがなくなる。
【００８１】
以上のように、第２の実施形態によれば、トナーカートリッジの輸送時や未使用時における放置姿勢が一定でない場合においても、従来技術にあるように揺動部材を設けたのみの場合に比べ、トナーをトナーカートリッジ内壁に圧縮して押付けることが無くなり、トナーの付着・凝集を抑制することができるため、トナーを十分に活用することが可能となる。さらに、第１の実施形態で示したような、アウターカートリッジ内の片側面に１つの摺動部を設けた場合に比べ、本実施形態においては、アウターカートリッジ内の両側面に対して２つの摺動部を設けたことで、トナーの掻き落とし量をより向上させることができ、よりトナーを十分に活用することが可能である。
【００８２】
本発明は、画像形成装置たるプリンタ以外にも、複写機、ＦＡＸ、又はＭＦＰ等に適用可能である。
【符号の説明】
【００８３】
１１  感光体
１２  現像ローラ
１３  供給ローラ
１５  現像ブレード
１６，１７  支持部材
１８  クリーニング装置
１９  帯電装置
２０  ベースフレーム部材
２１  カバーフレーム部材
２１ａ  トナー補給口
２２  トナー貯蔵室
２３  廃棄トナー搬送部材
２４  ブラケット
３０ａ,３０ａ'，３０ｂ，３０ｃ，３０ｄ  トナーカートリッジ
３１,４０  アウターカートリッジ
３１ａ  分離壁
３１ｂ  挿入口
３１ｃ，４０ｃ  トナー収容室
３１ｄ  廃棄トナー収容室
３２ｅ  規制部
３１ｆ  トナー供給口
３２,４１  インナーカートリッジ
３２ａ，４５ａ  トナー充填孔
３２ｂ  シャッタ部
３２ｃ  開口部
３２ｄ，３２ｅ，３２ｆ  フレーム
３３ａ，３３ｂ，４２  攪拌部材
３３ａ１１，３３ａ１２，３３ａ１３，３３ａ１４，３３ａ１５,３３ｂ１１，３３ｂ１２，３３ｂ１３，３３ｂ１４，３３ｂ１５，４２ａ１１，４２ａ１２，４２ａ１３，４２ａ１４，４２ａ１５  攪拌部
３３ａ２１，３３ａ２２，３３ａ２３，３３ａ２４,３３ｂ２１，３３ｂ２２，３３ｂ２３，３３ｂ２４，４２ａ１，４２ａ２，４２ａ３，４２ａ４，４２ａ５  被係合部
３４ａ，３４ｂ，４３  トナー除去フィルム
３４ａ１，３４ｂ１，４３ａ１１，４３ａ１２  摺動部
３４ａ２０，３４ａ２１，３４ｂ２０，３４ｂ２１，４３ａ２０，４３ａ２１，４３ａ２２，４３ａ２３  折れ曲がり部
３４ａ３，３４ｂ３，４３ａ３１，４３ａ３２  弾性変形部
３４ａ４  接着部
３４ａ５，３４ａ６，３４ｂ６，４３ｂ１，４３ｃ１，４３ｄ１，４３ｅ１  孔
３４ｂ５，４３ａ６  爪
３４ａ７，３４ｂ７，４３ａ７  係合部
３５,４１ａ  操作レバー
３６,４６  キャップ
３７  シールスポンジ
３８,４５  サイドカバープレート
３９  ギア
４０ａ  挿入口
４３ａ４  接続部
４３ａ５  シャフト支点部
４４  シャフト
５０ａ，６０ａ，７０ａ  揺動部
５０ｂ，６０ｂ  固定端
１００  画像形成装置
１０１  給紙トレイ
１０２  搬送ローラ
１０３  転写装置
１０３１ａ，１０３１ｂ，１０３１ｃ，１０３１ｄ  転写ローラ
１０３２  転写ベルト
１０３３  ドライブローラ
１０３４  テンションローラ
１０４  定着装置
１０４ａ  ヒートローラ
１０４ｂ  バックアップローラ
１０５  スタッカ
１１０ａ，１１０ｂ，１１０ｃ，１１０ｄ  現像ユニット
１１１ａ，１１１ｂ，１１１ｃ，１１１ｄ  露光装置
【図１】
2014149437.tif 000003
【図２】
2014149437.tif 000004
【図３】
2014149437.tif 000005
【図４】
2014149437.tif 000006
【図５】
2014149437.tif 000007
【図６】
2014149437.tif 000008
【図７】
2014149437.tif 000009
【図８】
2014149437.tif 000010
【図９】
2014149437.tif 000011
【図１０】
2014149437.tif 000012
【図１１】
2014149437.tif 000013
【図１２】
2014149437.tif 000014
【図１３】
2014149437.tif 000015
【図１４】
2014149437.tif 000016
【図１５】
2014149437.tif 000017